(57)【特許請求の範囲】
【請求項１】
下面に、下方へ突出した下面第１突出部と下面第２突出部とが布板幅方向にずれて設けられ、布板長手方向の位置について、前記下面第１突出部における布板長手方向のうちの一方側の端部の位置と、前記下面第２突出部における布板長手方向のうちの前記一方側とは反対側の端部の位置とが一致しており、前記下面第１突出部及び前記下面第２突出部は布板幅方向の長さを有しているとともに、前記下面第１突出部における布板幅方向内側の端部の位置と、前記下面第２突出部における布板幅方向内側の端部の位置とが、これらの下面第１突出部と下面第２突出部との間に存在する布板幅方向中心線からの距離が等しい位置になっていることを特徴とする仮設足場用布板。
【請求項２】
請求項１に記載の仮設足場用布板において、前記下面第１突出部及び下面第２突出部は、前記布板長手方向に複数個ずつ設けられていることを特徴とする仮設足場用布板。
【請求項３】
請求項２に記載の仮設足場用布板において、前記布板長手方向に複数個ずつ設けられている前記下面第１突出部及び下面第２突出部の個数は、２個であることを特徴とする仮設足場用布板。
【請求項４】
請求項３に記載の仮設足場用布板において、前記下面第１突出部及び下面第２突出部は、布板長手方向中心線と布板幅方向中心線とが交差する布板中心点に対して点対称に形成されていることを特徴とする仮設足場用布板。
【請求項５】
請求項１〜４のいずれかに記載の仮設足場用布板において、前記下面第１突出部及び下面第２突出部はエンボス加工により形成されていることを特徴とする仮設足場用布板。
【請求項６】
請求項１〜５のいずれかに記載の２個の仮設足場用布板が上下に積み重ねられているとともに、下側の仮設足場用布板の下面が上向きで、上側の仮設足場用布板の下面が下向きとなっており、下側の仮設足場用布板の前記下面第１突出部における布板長手方向のうちの一方側の端部と、上側の仮設足場用布板の前記下面第２突出部における布板長手方向の前記一方側とは反対側の端部とが当接し、下側の仮設足場用布板の前記下面第２突出部における布板長手方向の前記反対側の端部と、上側の仮設足場用布板の前記下面第１突出部における布板長手方向の前記一方側の端部とが当接することにより、前記２個の仮設足場用布板が積み重ねられていることを特徴する仮設足場用布板の積み重ね構造。
【発明の詳細な説明】
【技術分野】
【０００１】
本発明は、例えば、建築作業現場、土木作業現場、解体作業現場等の各種作業現場で用いられる仮設足場用布板、及びこの仮設足場用布板を上下に積み重ねる構造に関する。
【背景技術】
【０００２】
例えば、建築作業現場、土木作業現場、解体作業現場等の各種作業現場で構築される仮設足場は、各種の構成要素を組み合わせることにより構成され、この構成要素の一つとして、作業者が上に乗って歩行したり工具等を載せるための仮設足場用布板があり、このような仮設足場用布板は、例えば、下記の特許文献１に示されている。
【０００３】
仮設足場用布板は、上記仮設足場を構築するために形状及び構造が同じになったものが多数用意され、全体が細長形状となっていて厚みがあるこれらの仮設足場用布板は、各種作業現場へ搬送される際や各種作業現場から資材置き場等の他の場所へ搬送される際に、輸送効率や取り扱い性を良好等とするために、厚さ方向を上下方向として上下に積み重ねられる。
【先行技術文献】
【特許文献】
【０００４】
【特許文献１】特開２００３−３６６４
【発明の概要】
【発明が解決しようとする課題】
【０００５】
このように複数個の仮設足場用布板を上下に積み重ねた場合に、仮設足場用布板同士の間で水平方向の位置ずれが生じたのでは積み重ねが不安定になり、多数の仮設足場用布板を搬送することは困難になるため、仮設足場用布板同士を水平方向に位置決め状態にして上下に積み重ねることができるようにすることが求められる。
【０００６】
本発明の目的は、水平方向に位置決め状態にして積み重ねることができる仮設足場用布板及びその積み重ね構造を提供するところにある。
【課題を解決するための手段】
【０００７】
本発明に係る仮設足場用布板は、上面に、上方へ突出した上面第１突出部と上面第２突出部とを有しているとともに、下面に、下方へ突出した下面第１突出部と下面第２突出部とを有しており、前記上面第１突出部における布板長手方向のうちの一方側の端部の位置と、前記下面第１突出部における布板長手方向のうちの前記一方側とは反対側の端部の位置とが一致し、前記上面第２突出部における布板長手方向の前記反対側の端部の位置と、前記下面第２突出部における布板長手方向の前記一方側の端部の位置とが一致していることを特徴とするものである。
【０００８】
このため、２個の仮設足場用布板を共に上面を上向きとして上下に積み重ねる場合において、下側の仮設足場用布板の上面第１突出部における布板長手方向のうちの一方側の端部と、上側の仮設足場用布板の前記下面第１突出部における布板長手方向の前記一方側とは反対側の端部とを当接させ、下側の仮設足場用布板の上面第２突出部における布板長手方向の前記反対側の端部と、上側の仮設足場用布板の下面第２突出部における布板長手方向の前記一方側の端部とを当接させることにより、上記２個の仮設足場用布板を、布板長手方向に位置決め状態にして積み重ねることができる。
【０００９】
したがって、本発明に係る仮設足場用布板の積み重ね構造は、２個の仮設足場用布板が共に下面を下向きとして上下に積み重ねられ、下側の仮設足場用布板の前記上面第１突出部における布板長手方向のうちの一方側の端部と、上側の仮設足場用布板の下面第１突出部における布板長手方向の前記一方側とは反対側の端部とが当接し、下側の仮設足場用布板の前記上面第２突出部における布板長手方向の前記反対側の端部と、上側の仮設足場用布板の前記下面第２突出部における布板長手方向の前記一方側の端部とが当接することにより、前記２個の仮設足場用布板が積み重ねられていることを特徴するものである。
【００１０】
以上の本発明において、上面第１突出部及び上面第２突出部と、下面第１突出部及び下面第２突出部は、布板長手方向に１個ずつ設けてもよく、布板長手方向に複数個ずつ設けてよい。
【００１１】
後者によると、上面第１突出部と下面第１突出部及び上面第２突出部と下面第２突出部による布板長手方向についての位置決めを一層確実に行えるようになる。
【００１２】
なお、後者において、布板長手方向のうちの前記一方側とは、複数個の上面第１突出部や複数個の下面第２突出部において、同じ側でもよく、逆側でもよい。また、布板長手方向のうちの一方側とは前記反対側とは、複数個の上面第２突出部や複数個の下面第１突出部において、同じ側でもよく、逆側でもよい。
【００１３】
また、下面第２突出部における布板長手方向のうちの一方側の端部の位置と、下面第１突出部における布板長手方向のうちの前記一方側とは反対側の端部の位置とを一致させてもよい。
【００１４】
これによると、２個の仮設足場用布板を上下に積み重ねるとともに、この積み重ねを、下側の仮設足場用布板の下面を上向きとし、上側の仮設足場用布板の下面を下向きする場合において、下側の仮設足場用布板の下面第２突出部における布板長手方向のうちの一方側の端部と、上側の仮設足場用布板の下面第１突出部における布板長手方向の前記一方側とは反対側の端部とを当接させ、下側の仮設足場用布板の下面第１突出部における布板長手方向の前記反対側の端部と、上側の仮設足場用布板の下面第２突出部における布板長手方向の前記一方側の端部とを当接させることにより、上下を逆とした上記２個の仮設足場用布板を、布板長手方向に位置決め状態にして積み重ねることができる。
【００１５】
このため、本発明に係る仮設足場用布板の積み重ね構造は、２個の仮設足場用布板が上下に積み重ねられているとともに、下側の仮設足場用布板の下面が上向きで、上側の仮設足場用布板の下面が下向きとなっており、下側の仮設足場用布板の前記下面第２突出部における布板長手方向のうちの一方側の端部と、上側の仮設足場用布板の前記下面第１突出部における布板長手方向の前記一方側とは反対側の端部とが当接し、下側の仮設足場用布板の前記下面第１突出部における布板長手方向の前記反対側の端部と、上側の仮設足場用布板の前記下面第２突出部における布板長手方向の前記一方側の端部とが当接することにより、前記２個の仮設足場用布板が積み重ねられていることを特徴するものである。
【００１６】
また、本発明に係る仮設足場用布板を、上面に、上方へ突出した上面第３突出部と上面第４突出部とを有するものとし、上面第３突出部における布板幅方向のうちの一方側の端部の位置と、下面第１突出部における布板幅方向のうちの前記一方側とは反対側の端部の位置とを一致させ、上面第４突出部における布板幅方向の前記反対側の端部の位置と、下面第２突出部における布板幅方向の前記一方側の端部の位置とを一致させてもよい。
【００１７】
これによると、２個の仮設足場用布板を共に下面を下向きとして上下に積み重ねる場合において、下側の仮設足場用布板の上面第３突出部における布板幅方向のうちの一方側の端部と、上側の仮設足場用布板の下面第１突出部における布板幅方向の前記一方側とは反対側の端部とを当接させ、下側の仮設足場用布板の上面第４突出部における布板幅方向の前記反対側の端部と、上側の仮設足場用布板の下面第２突出部における布板幅方向の前記一方側の端部とを当接させることにより、上記２個の仮設足場用布板を、布板幅方向に位置決め状態にして積み重ねることができる。
【００１８】
この場合において、上面第３突出部及び上面第４突出部と、下面第１突出部及び下面第２突出部を、布板長手方向に１個ずつ設けてもよく、布板長手方向に複数個ずつ設けてよい。
【００１９】
後者によると、上面第３突出部と下面第１突出部及び上面第４突出部と下面第２突出部による布板幅方向についての位置決めを一層確実に行えるようになる。
【００２０】
なお、後者において、布板幅方向のうちの前記一方側とは、複数個の上面第３突出部や複数個の下面第２突出部において、同じ側でもよく、逆側でもよい。また、布板長手方向のうちの一方側とは前記反対側とは、複数個の下面第１突出部や複数個の下面第４突出部において、同じ側でもよく、逆側でもよい。
【００２１】
また、本発明において、上面第１突出部と上面第３突出部を分離させるとともに、上面第２突出部と上面第４突出部も分離させてもよい。あるいは、上面第１突出部と上面第３突出部とを接続させるとともに、上面第２突出部と上面第４突出部も接続させ、これにより、仮設足場用布板の上面に、互いに接続した上面第１突出部と上面第３突出部とによる第１Ｌ字形状突出部と、互いに接続した上面第２突出部と上面第４突出部による第２Ｌ字形状突出部とを設けてもよい。
【００２２】
さらに本発明において、布板長手方向の端部に、水平材に係止されるフック部材が配置され、このフック部材に下方へ突出した突起部が設けられる場合には、フック部材の上面に下方へ窪んだ窪み部を形成し、この窪み部の位置と前記突起部の位置とを布板長手方向及び布板幅方向について一致させてもよい。
【００２３】
これによると、２個の仮設足場用布板を共に下面を下向きとして上下に積み重ねる場合において、この積み重ねを、下側の仮設足場用布板におけるフック部材の窪み部に、上側の仮設足場用布板におけるフック部材の突起部を挿入して行うことにより、上記２個の仮設足場用布板の積み重ねを、それぞれのフック部材が干渉することなく、これらのフック部材の位置を布板長手方向と布板幅方向の両方について一致させて行うことができる。
【００２４】
また、本発明に係る仮設足場用布板のフック部材には、このフック部材を上記水平材にロックするためのロック部材を遊動可能に配置してもよい。
【００２５】
このようなロック部材をフック部材に配置する場合には、ロック部材の上面に下方へ窪んだ窪み部を形成し、ロック部材の下面に下方へ突出した突起部を設け、この突起部の位置と窪み部の位置とを布板長手方向及び布板幅方向について一致させてもよい。
【００２６】
これによると、２個の仮設足場用布板を共に下面を下向きとして上下に積み重ねる場合において、この積み重ね時におけるフック部材の突起部の位置と窪み部の位置とを布板長手方向及び布板幅方向について一致させておくことにより、上記積み重ねを、下側の仮設足場用布板におけるロック部材の窪み部に、上側の仮設足場用布板におけるロック部材の突起部に挿入して行うことにより、上記２個の仮設足場用布板の積み重ねを、それぞれのロック部材が干渉することなく、これらのロック部材の位置を布板長手方向と布板幅方向の両方について一致させて行うことができる。
【００２７】
なお、以上説明したように仮設足場用布板にフック部材を設けること、このフック部材に上記窪み部と上記突起部を形成すること、フック部材に上記ロック部材を配置すること、及びこのロック部材に上記突起部と上記窪み部を形成することは、仮設足場用布板の上面に前述した上面第１突出部、上面第２突出部、上面第３突出部、上面第４突出部を設けず、仮設足場用布板の下面に前述した下面第１突出部、下面第２突出部を設けない場合にも、実施することができる。
【００２８】
また、以上説明した本発明に係る仮設足場用布板は、任意な作業を行うために構築される仮設足場に用いることができ、この作業は、建築作業でもよく、土木作業でもよく、解体作業でもよく、塗装作業でもよく、補修作業等でもよい。
【発明の効果】
【００２９】
本発明によると、複数個の仮設足場用布板を上下に積み重ねた場合に、水平方向に位置決め状態にして積み重ねることができるという効果を得られる。
【図面の簡単な説明】
【００３０】
【図１】図１は、本発明の一実施形態に係る仮設足場用布板が用いられて構築された仮設足場を示す全体斜視図である。
【図２】図２は、仮設足場用布板の平面図である。
【図３】図３は、仮設足場用布板の裏面図である。
【図４】図４は、仮設足場用布板の一部省略の拡大正面図である。
【図５】図５は、図２のＳ５−Ｓ５線断面図である。
【図６】図６（Ａ）は、フック部材を、仮設足場を構成している建枠の水平材に引っ掛けるために、仮設足場用布板を水平材の上から落とし込むときのロック部材の位置を示す図であり、図６（Ｂ）は、仮設足場用布板を水平材の上から落とし込み、フック部材を建枠の水平材に引っ掛けたときのロック部材の位置を示す図であり、図６（Ｃ）は、仮設足場用布板の下面からのロック部材の下部の突出量を小さくした場合におけるロック部材の位置を示す図である。
【図７】図７は、仮設足場用布板の一部省略の拡大平面図である。
【図８】図８は、仮設足場用布板の一部省略の拡大裏面図である。
【図９】図９は、下面を上向きした最下段の布板の上に、下面を下向きとした下から２番目の布板を積み重ねたときにおいて、これらの布板の下面第１突出部と下面第２突出部の位置関係を示す平面図である。
【図１０】図１０は、下面を下向きとした下から２番目の布板の上に、下面を下向きとした下から３番目の布板を積み重ねたときにおいて、下から２番目の布板の上面第１突出部、上面第２突出部、上面第３突出部、上面第４突出部と、下から３番目の布板の下面第１突出部、下面第２突出部との位置関係を示す平面図である。
【図１１】図１１は、複数個の布板を上下に積み重ねたときを示す布板の左側面図である。
【図１２】図１２は、複数個の布板を上下に積み重ねたときを示す布板の左端部の正面図である。
【発明を実施するための形態】
【００３１】
以下に本発明を実施するための形態を図面に基づいて説明する。初めに、本実施形態に係る仮設足場用布板が用いられて構築される仮設足場について説明する。
【００３２】
図１は、この仮設足場１を示し、この仮設足場１は、建物の建築現場で構築されたものであって、並設された複数の建枠２と、これらの建枠２同士の間に水平に架設された布板１０と、建枠２同士の間に斜めに掛け渡されたブレース３と、建枠２同士の間に水平に掛け渡された手摺り４とを含んで構成されている。手摺り４は、仮設足場１における建物とは反対側の背面側に配設されており、左右方向を長手方向とする幅木５は、この背面側となっている布板１０の側端部に、布板１０の長さ方向に沿って取り付けられる。これにより、布板１０の上に乗って作業を行う作業者や布板１０の上に載せられている工具類等が仮設足場１の背面側から落下することが、幅木５によって防止される。
【００３３】
布板１０は、本実施形態に係る仮設足場用布板である。図２は、左右方向が長手方向となっているこの布板１０の平面図であり、図３は、布板１０の裏面図である。これらの図２と図３において、上記長手方向と直交する水平方向である布板１０の幅方向は、図面上、上下方向となって示されているとともに、図２と図３は表裏の関係となっているため、図２と図３では、布板１０の幅方向のうちの一方側と他方側とが逆になって示されている。すなわち、図２と図３では、上下が逆になっている。また、図４は、布板１０の一部省略の拡大正面図である。
【００３４】
これらの図から分かるように、布板１０は、左右方向に長くなっていて上下の厚さを有している本体部１１と、この本体部１１の長手方向両端から突設されたフック部１２とからなり、図１で示されているように、隣接している２個の建枠２の間に布板１０を架設するためにこれらの建枠２の水平材２Ａに引っ掛けられるフック部１２は、図２及び図３で示されているように、布板１０の長手方向両端に設けられているとともに、布板１０の幅方向両端にも設けられ、このため、フック部１２は、１個の布板１０について４個設けられている。
【００３５】
なお、図２及び図３に示されているように、布板１０の四隅に設けられているフック部１２は、フック部材１３を含んで形成されており、これらのフック部材１３のうち、一方の対角線位置に配置された２個のフック部材１３Ａ，１３Ｂは、他方の対角線位置に配置された２個のフック部材１３Ｃ，１３Ｄに対し、布板１０の幅方向内側へ屈曲形成されたものとなっている。これは、仮設足場１を構築するために複数個の布板１０をこれらの布板１０の長手方向に並設したときに、互いに隣接する２個の布板１０のうち、一方の布板１０におけるフック部材１３Ｃ、１３Ｄの内側の隙間Ｓに、他方の布板１０のフック部材１３Ａ，１３Ｂを挿入できるようにするためである。
【００３６】
上述した本体部１１は、図２に示されているとおり、布板１０の幅方向に並設された２個の主部材１４，１５と、これらの主部材１４、１５における布板１０の長手方向両側の端部に配設された端部部材１６と、図３に示されているとおり、布板１０の幅方向に主部材１４、１５に架設結合された短寸の横架部材１７とからなる。図４に示されているように、板金の折り曲げ品となっているそれぞれの端部部材１６の上面１６Ａと下面１６Ｂは、板金製となっている２個の主部材１４，１５に溶接で接合されているとともに、図３で示されているそれぞれの板金製の横架部材１７も、２個の主部材１４，１５に溶接で接合されている。
【００３７】
これにより、端部部材１６及び横架部材１７と共に布板１０の構成部材となっている２個の主部材１４，１５同士は、互いに布板１０の幅方向に接触して端部部材１６と横架部材１７を介して結合されている。
【００３８】
なお、布板の本体部は、端部部材と横架部材を介して結合される２個の主部材を、これらの主部材の間に布板の幅方向の隙間を開けて並設することにより形成してもよく、また、布板の本体部を、長手方向の両端部に端部部材が結合された１個の主部材により形成してもよい。
【００３９】
図５は、図２のＳ５−Ｓ５線断面図である。この図５で示されているように、それぞれの主部材１４，１５は、上面部１４Ａ，１５Ａと、これらの上面部１４Ａ，１５Ａにおける布板１０の幅方向両端部に、上面部１４Ａ，１５Ａから下向きの高さ寸法をもって形成されているとともに、布板１０の幅方向内側に開口しているチャンネル形状部１４Ｂ，１４Ｃ，１５Ｂ，１５Ｃと、上面部１４Ａ，１５Ａにおける布板１０の幅方向中央部に、上面部１４Ａ，１５Ａから下向きの高さ寸法をもって形成された三角形状部１４Ｄ，１５Ｄとからなる。このような形状を有する主部材１４，１５は、板金をロールフォーミング成形することにより形成され、それぞれの上面部１４Ａ，１５Ａには、布板１０の長手方向に延びる２本の溝部１８と、これらの溝部１８の間に形成された上向きの凸部１９とが設けられ、布板１０の上に乗る作業者の滑り止め用となっているこの凸部１９は、バーリング加工により図２に示されているように多数形成されている。
【００４０】
また、図２に示されているとおり、それぞれの端部部材１６の上面１６Ａにも、布板１０の幅方向の長さを有している複数個の滑り止め用の凸部２０が、エンボス加工によって上向きに形成されている。
【００４１】
また、図４から分かるように、前述したそれぞれのフック部材１３は、主部材１４，１５のチャンネル形状部１４Ｂ、１５Ｃの内側面部にリベット等の止着具２５で止着されており、厚板状のこのフック部材１３には、第１ピン２１と第２ピン２２でロック部材２３が抜け止めされて配置されている。フック部材１３には、前述した図１の建枠２の水平材２Ａが挿入される湾曲凹部１３Ｅが下向きに形成され、ロック部材２３における布板１０の幅方向外側の側面部には、フック部１２がこの水平材２Ａに引っ掛けられたときに、水平材２Ａの側部と対面する湾曲凹部２３Ａが形成されている。
【００４２】
図６（Ａ）（Ｂ）（Ｃ）に示されているように、ロック部材２３には第１及び第２ピン２１，２２が挿入された長孔２４が形成され、全体的に上下方向に長くなっているこの長孔２４により、ロック部材２３はフック部材１３に対して遊動可能となっている。そして、長孔２４には、長孔２４の上端において第１膨出部２４Ａが、長孔２４の上下中間部において第２膨出部２４Ｂが、長孔２４の下端において第３及び第４膨出部２４Ｃ，２４Ｄが、それぞれ形成されており、第２膨出部２４Ｂは、布板１０に長手方向内側に配置され、第３膨出部２４Ｃと第４膨出部２４Ｄは、布板１０の長手方向に分かれて配置されている。
【００４３】
図６（Ａ）は、フック部材１３を建枠２の水平材２Ａに引っ掛けるために、布板１０を水平材２Ａの上から落とし込むときのロック部材２３の位置を示している。このときには、第１ピン２１は第２膨出部２４Ｂに、第２ピン２２は第３膨出部２４Ｃに、それぞれ係合している。このため、フック部材１３の湾曲凹部１３Ｅの全体又は略全体は開口している。これにより、フック部１２を建枠２の水平材２Ａに引っ掛けるために、布板１０を水平材２Ａの上から落とし込むことができる。なお、第３膨出部２４Ｃの深さは、図６（Ａ）で示されているよりも第２ピン２２を充分に挿入させることができる大きさとなっており、これにより、第２ピン２２を第３膨出部２４Ｃに充分挿入させてロック部材２３の姿勢を傾斜させることにより、ロック部材２３の下部を、図６（Ａ）で示されているよりも水平材２Ａから離間させることができるようになっている。
【００４４】
図６（Ｂ）は、フック部材１３が水平材２Ａに引っ掛けられたときのロック部材２３の位置を示している。このときには、第１ピン２１は第１膨出部２４Ａに係合し、第２ピン２２は第３膨出部２４Ｃ及び第４膨出部２４Ｄよりも上側の位置にある。このため、フック部材１３の湾曲凹部１３Ｅの一部は、ロック部材２３の下部によって塞がれている。したがって、フック部材１３はロック部材２３によって水平材２Ａにロックされ、水平材２Ａからの抜け出しが防止される。
【００４５】
なお、図６（Ａ）のときには、ロック部材２３の上先端部２３Ｂがフック部材１３の湾曲凹部１３Ｅの内側へ突出しているため、布板１０を水平材２Ａの上から落とし込むことによってこの上先端部２３Ｂが水平材２Ａで上側へ押されることになり、したがって、ロック部材２３の姿勢は、図６（Ａ）の姿勢から図６（Ｂ）の姿勢へと自ずと変更されることになる。この図６（Ｂ）の姿勢がロック部材２３の自然時における姿勢であり、ロック部材２３がこの自然時の姿勢になったとき、第１及び第２ピン２１，２２が挿入された上述の長孔２４は、全体的に上下方向の向きとなっている。
【００４６】
図６（Ｃ）は、布板１０の下面からのロック部材２３の下部の突出量を小さくした場合を示している。このときには、第１ピン２１は第３膨出部２４Ｃ及び第４膨出部２４Ｄよりも上側の位置にあり、第２ピン２２は第４膨出部２４Ｄに係合している。これにより、ロック部材２３は図６（Ａ）のときとは逆向きの傾斜姿勢となって、ロック部材２３の下部が布板１０の下面から下方へ突出する量は小さくなり、作業者等が布板１０を運搬するとき等において、ロック部材２３が邪魔にならないようにすることができる。
【００４７】
なお、ロック部材２３を図６（Ｃ）の状態とすることは、水平材２Ａからフック部材１３が取り出された布板１０をこの水平材２Ａに一時的に仮置きしておくときにも行われる。すなわち、布板１０のそれぞれのフック部材１３を水平材２Ａから取り出すために、一人の作業者が、左右方向に長寸法となっている布板１０に合計４個設けられたフック部材１３のそれぞれのロック部材２３を、同時に図６（Ｂ）の状態から図６（Ａ）の状態に変更することは困難又は不可能であるため、上記一人の作業者は、布板１０の左右のうちの一方の側へ移動し、この作業者は、この側に配置された２個のフック部材１３のそれぞれのロック部材２３を、図６（Ｂ）の状態から図６（Ａ）の状態に変更した後、布板１０の上記の側の端部を持ち上げ、次いで、上記の側のそれぞれのロック部材２３を図６（Ａ）の状態から図６（Ｃ）の状態に変更し、これによって姿勢が変化したロック部材２３を水平材２Ａの上に仮置きする。この後、上記一人の作業者は布板１０の上記の側とは反対側の端部へ移動し、これにより、この端部の側に配置された２個のフック部材１３のそれぞれのロック部材２３についても上記と同じ作業を行い、これにより、これらのロック部材２３も水平材２Ａの上に仮置きする。
【００４８】
これにより、それぞれのフック部材１３が水平材２Ａにロック部材２３でロックされた状態で係止されていても、上記一人の作業者により、左右方向に長寸法となっている布板１０を水平材２Ａから取り外す作業を行えることになる。
【００４９】
本実施形態では、それぞれのフック部材１３に第１ピン２１と第２ピン２２で配置されたロック部材２３のうち、図２及び図３で示されているように、布板１０の幅方向内側へ屈曲形成されたフック部材１３Ａ，１３Ｂのロック部材２３は、フック部材１３における布板１０の幅方向内側に配置され、布板１０の幅方向内側へ屈曲形成されていないフック部材１３Ｃ，１３Ｄのロック部材２３は、フック部材１３における布板１０の幅方向外側に配置されている。
【００５０】
また、図２及び図３から分かるように、布板１０は、図２で示されている上面についても、図３で示されている下面についても、布板１０の長手方向中心線と幅方向中心線とが交差する布板１０の中央点に対して点対称の形状に形成されている。
【００５１】
図７は、布板１０の一部省略の拡大平面図であり、すなわち、図７は、図２の一部省略の拡大図である。また、図８は、布板１０の一部省略の拡大裏面図であり、すなわち、図８は、図３の一部拡大図である。
【００５２】
図７で示されている布板１０の上面には、具体的には、前述した端部部材１６の上面１６Ａには、上方へ突出した上面第１突出部３１と上面第２突出部３２が、布板１０の幅方向の長さを有してエンボス加工により布板１０の幅方向に分かれて形成され、また、端部部材１６の上面１６Ａには、上方へ突出した上面第３突出部３３と上面第４突出部３４が、布板１０の長手方向の長さを有してエンボス加工により布板１０の幅方向に分かれて形成されている。本実施形態では、上面第１突出部３１と上面第３突出部３３は接続されているとともに、上面第２突出部３２と上面第４突出部３４も接続されており、このため、端部部材１６の上面１６Ａには、上面第１突出部３１と上面第３突出部３３とによる第１Ｌ字形状突出部５１と、上面第２突出部３２と上面第４突出部３４による第２Ｌ字形状突出部５２とが設けられている。
【００５３】
本実施形態に係る布板１０は、上述したように、布板１０の長手方向中心線と幅方向中心線とが交差する布板１０の中央点に対して点対称の形状に形成されているため、以上の上面第１突出部３１〜上面第４突出部３４、第１Ｌ字形状突出部５１及び第２Ｌ字形状突出部５２は、図７の左右方向である布板１０の長手方向にそれぞれ２個ずつ形成されているとともに、図７の左右に設けられているこれらの上面第１突出部３１〜上面第４突出部３４、第１Ｌ字形状突出部５１及び第２Ｌ字形状突出部５２は、布板１０の上記中央点に対して点対称の位置関係となって形成されている。
【００５４】
すなわち、前述したフック部材１３Ａにおける布板１０の長手方向外側であって布板１０の幅方向外側の端部の位置を基準点Ａにすると、図７の左側の上面第１突出部３１における布板１０の長手方向外側の端部３１Ａの位置は基準点ＡからＬ１の距離に、図７の左側の上面第２突出部３２における布板１０の長手方向内側の端部３２Ａの位置も基準点ＡからＬ１の距離に、図７の左側の上面第３突出部３３における布板１０の幅方向外側の端部３３Ａの位置は基準点ＡからＬ２の距離に、図７の左側の上面第４突出部３４における布板１０の幅方向外側の端部３４Ａの位置は基準点ＡからＬ３の距離に、それぞれあり、また、フック部材１３Ａとは上記中央点に対して点対称の位置にある前記フック部材１３Ｂにおける布板１０の長手方向外側であって布板１０の幅方向外側の端部の位置を基準点Ｂにすると、図７の右側の上面第１突出部３１における布板１０の長手方向外側の端部３１Ａの位置は基準点ＢからＬ１の距離に、図７の右側の上面第２突出部３２における布板１０の長手方向内側の端部３２Ａの位置も基準点ＢからＬ１の距離に、図７の右側の上面第３突出部３３における布板１０の幅方向外側の端部３３Ａの位置は基準点ＢからＬ２の距離に、図７の右側の上面第４突出部３４における布板１０の幅方向外側の端部３４Ａの位置は基準点ＢからＬ３の距離に、それぞれある。
【００５５】
また、図８（この図８は、図７との関係において、図２と図３の関係と同じく、上下が逆となって示されている。）で示されている布板１０の下面には、具体的には、前述した端部部材１６の下面１６Ｂには、下方へ突出した下面第１突出部４１と下面第２突出部４２が、布板１０の幅方向の長さを有してエンボス加工により布板１０の幅方向に分かれて形成されている。これらの下面第１突出部４１と下面第２突出部４２も、図８の左右において、布板１０の前記中央点に対して点対称の位置関係となって布板１０の長手方向に２個ずつ形成されている。
【００５６】
そして、図８の左側の下面第１突出部４１における布板１０の長手方向内側の端部４１Ａの位置は基準点ＡからＬ１の距離に、図８の左側の下面第２突出部４２における布板１０の長手方向外側の端部４２Ａの位置も基準点ＡからＬ１の距離に、図８の左側の下面第１突出部４１における布板１０の幅方向内側の端部４１Ｂの位置は基準点ＡからＬ２の距離に、図８の左側の下面第２突出部４２における布板１０の幅方向内側の端部４２Ｂの位置は基準点ＡからＬ３の距離に、それぞれある。また、図８の右側の下面第１突出部４１における布板１０の長手方向内側の端部４１Ａの位置は基準点ＢからＬ１の距離に、図８の右側の下面第２突出部４２における布板１０の長手方向外側の端部４２Ａの位置も基準点ＢからＬ１の距離に、図８の右側の下面第１突出部４１における布板１０の幅方向内側の端部４１Ｂの位置は基準点ＢからＬ２の距離に、図８の右側の下面第２突出部４２における布板１０の幅方向内側の端部４２Ｂの位置は基準点ＢからＬ３の距離に、それぞれある。
【００５７】
以上において、上面第１突出部３１〜上面第４突出部３４、下面第１突出部４１及び下面第２突出部４２は、布板１０の長手方向両側と幅方向両側の端部が４５度の傾斜角度となっている低い台形状の突出部となっており、基準点Ａ，Ｂからの上述したそれぞれの距離Ｌ１〜Ｌ３は、この４５度の傾斜角度を有する上記端部までの距離である。
【００５８】
また、図４に示されているように、それぞれのフック部材１３の上面１３Ｆは、布板１０の前述した本体部１１の上面１１Ａと同じ又はこの上面１１Ａよりも低くなっているが、それぞれのフック部材１３における布板１０の長手方向外側の端部の下部は、布板１０の本体部１１の下面１１Ｂよりも下方へ突出した突起部１３Ｇとなっている。そして、フック部材１３の上面１３Ｆには、この突起部１３Ｇの真上において、言い換えると、布板１０の長手方向と幅方向の両方について突起部１３Ｇと一致する位置において、下方へ窪んだ窪み部１３Ｈが形成されている。
【００５９】
さらに、図６（Ｂ）に示されているように、前記ロック部材２３の下面２３Ｃには、このロック部材２３が図６（Ｂ）の前述した自然時の姿勢となっているときに、布板１０の本体部１１の下面１１Ｂよりも下方へ突出した突起部２３Ｄが形成されており、ロック部材２３の上面２３Ｅには、ロック部材２３が自然時の姿勢となっているときに、この突起部２３Ｄの真上において、言い換えると、布板１０の長手方向と幅方向の両方について突起部２３Ｄと一致する位置において、下方へ窪んだ窪み部２３Ｆが形成されている。
【００６０】
次に、布板１０を各種作業現場へ搬送するためや各種作業現場から資材置き場等の他の場所へ搬送するために、複数個の布板１０を上下に積み重ねる作業について説明する。
【００６１】
図１１は、この積み重ねを行ったときの布板１０の左側面図であり、図１２は、積み重ねを行ったときの布板１０の左端部の正面図である。積み重ねは、図示しない積み重ね板等の所定の部材の上に、図１１及び図１２に示されているとおり、最下段の布板１０Ａを、この布板１０Ａの下面を上向きにして置くことにより始まり、この布板１０Ａの上に、下から２番目の布板１０Ｂを、この布板１０Ｂの下面を下向きして積み重ねる。
【００６２】
これらの布板１０Ａ，１０Ｂの長手方向の端部の位置を互いに一致させると、図８で示した距離Ｌ１から分かるように、基準点Ａ，Ｂを基準とした場合に、図９で示されている如く、布板１０Ａの下面第２突出部４２における布板１０の長手方向のうちの一方側の端部４２Ａの位置と、布板１０Ｂの下面第１突出部４１における布板１０の長手方向のうちの上記一方側とは反対側の端部４１Ａの位置とが一致し、布板１０Ｂの下面第２突出部４２における布板１０の長手方向のうちの一方側の端部４２Ａの位置と、布板１０Ａの下面第１突出部４１における布板１０の長手方向のうちの上記一方側とは反対側の端部４１Ａの位置とが一致するため、布板１０Ａ，１０Ｂのそれぞれの下面第１突出部４１と下面第２突出部４２とが布板１０の長手方向に当接する。
【００６３】
このため、布板１０Ａと１０Ｂのそれぞれの長手方向の端部の位置を一致させて、これらの布板１０Ａと１０Ｂを、水平方向である布板１０の長手方向に位置決め状態にして積み重ねることができる。
【００６４】
なお、このときの布板１０Ａと１０Ｂは、図１１に示されているように、これらの布板１０Ａと１０Ｂの幅方向の位置を互いに一致させて積み重ねることが可能であり、言い換えると、布板１０Ａと１０Ｂの幅方向の位置を互いに一致させながら、これらの布板１０Ａと１０Ｂを、布板１０Ａと１０Ｂの長手方向に位置決めすることができるように、下面第１突出部４１と下面第２突出部４２についての布板１０の幅方向の長さが設定されている。
【００６５】
次いで、下から３番目の布板１０Ｃを、この布板１０Ｃの下面を下向きにして下から２番目の布板１０Ｂの上に積み重ね、この積み重ねを、これらの布板１０Ａ，１０Ｂの長手方向の端部の位置を互いに一致させて行うと、図７及び図８で示した距離Ｌ１から分かるように、基準点Ａ，Ｂを基準とした場合に、図１０で示されている如く、布板１０Ｂの上面第１突出部３１における布板１０の長手方向のうちの一方側の端部３１Ａの位置と、布板１０Ｃの下面第１突出部４１における布板１０の長手方向のうちの上記一方側とは反対側の端部４１Ａの位置とが一致し、布板１０Ｂの上面第２突出部３２における布板１０の長手方向の上記反対側の端部３２Ａの位置と、布板１０Ｃの下面第２突出部４２における布板１０の長手方向の上記一方側の端部４２Ａの位置とが一致するため、布板１０Ｂ，１０Ｃのそれぞれの上面第１突出部３１、上面第２突出部３２と下面第１突出部４１、下面第２突出部４２とが布板１０の長手方向に当接する。
【００６６】
このため、布板１０Ｂと１０Ｃのそれぞれの長手方向の端部の位置を一致させて、これらの布板１０Ｂと１０Ｃを、水平方向である布板１０の長手方向に位置決め状態にして積み重ねることができる。
【００６７】
また、布板１０Ｂ，１０Ｃの幅方向の端部の位置を互いに一致させると、図７及び図８で示した距離Ｌ２，Ｌ３から分かるように、基準点Ａ，Ｂを基準とした場合に、図１０で示されている如く、布板１０Ｂの上面第３突出部３３における布板１０の幅方向のうちの一方側の端部３３Ａの位置と、布板１０Ｃの下面第１突出部４１における布板１０の幅方向のうちの上記一方側とは反対側の端部４１Ｂの位置とが一致し、布板１０Ｂの上面第４突出部３４における布板１０の幅方向の上記反対側の端部３４Ａの位置と、布板１０Ｃの下面第２突出部４２における布板１０の幅方向の上記一方側の端部４２Ｂの位置とが一致するため、布板１０Ｂ，１０Ｃのそれぞれの上面第３突出部３３、上面第４突出部３４と、下面第１突出部４１、下面第２突出部４２とが布板１０の幅方向に当接する。
【００６８】
このため、布板１０Ｂと１０Ｃのそれぞれの幅方向の端部の位置を一致させて、これらの布板１０Ｂと１０Ｃを、水平方向である布板１０の幅方向にも位置決め状態にして積み重ねることができる。
【００６９】
この後、下から４番目の布板１０Ｄを、この布板１０Ｄの下面を下向きにして下から３番目の布板１０Ｃの上に積み重ね、さらに、下から５番目の布板１０Ｅを、この布板１０Ｅの下面を下向きにして下から４番目の布板１０Ｄの上に積み重ね、これ以後、これと同じことを繰り返す。
【００７０】
これによると、下から３番目の布板１０Ｃと下から４番目の布板１０Ｄとの位置関係や、下から４番目の布板１０Ｄと下から５番目の布板１０Ｅとの位置関係は、下から２番目の布板１０Ｂと下から３番目の布板１０Ｃとの位置関係と同じく、上面第１突出部３１、上面第２突出部３２と下面第１突出部４１、下面第２突出部４２との当接、及び上面第３突出部３３、上面第４突出部３４と、下面第１突出部４１、下面第２突出部４２との当接により、布板１０の長手方向と幅方向の両方について位置決めされた状態となる。
【００７１】
また、以上のように下から２番目以降の布板１０Ｂ〜１０Ｅ同士が、布板１０の長手方向と幅方向の両方について位置決めされた状態となり、これにより、これらの布板１０Ｂ〜１０Ｅのフック部材１３の位置が、布板１０の長手方向と幅方向の両方について同じ位置となり、また、図４で説明したように、それぞれのフック部材１３に布板１０の本体部１１の下面１１Ｂよりも下方へ突出した突起部１３Ｇが設けられていても、それぞれのフック部材１３の上面１３Ｆには下方へ窪んだ窪み部１３Ｈが形成され、この窪み部１３Ｈの位置と突起部１３Ｇの位置とが布板１０の長手方向及び幅方向について一致しているため、図１２に示されているとおり、下側のフック部材１３の窪み部１３Ｈに上側のフック部材１３の突起部１３Ｇが挿入することにより、それぞれのフック部材１３が互いに干渉することなく、下から２番目以降の布板１０Ｂ〜１０Ｅを上下に積み重ねることができる。
【００７２】
さらに、下から２番目以降の布板１０Ｂ〜１０Ｅ同士が、布板１０の長手方向と幅方向の両方について位置決めされた状態となり、これにより、これらの布板１０Ｂ〜１０Ｅのフック部材１３に配置されたロック部材２３の位置が、布板１０の長手方向と幅方向の両方について同じ位置となり、また、図６（Ｂ）で説明したように、それぞれのロック部材２３の下面２３Ｃに下方へ突出した突起部２３Ｄが設けられていても、それぞれのロック部材２３の上面２３Ｅには下方へ窪んだ窪み部２３Ｆが形成され、これらの突起部２３Ｄと窪み部２３Ｆの位置は、ロック部材２３が図６（Ｂ）で示されている自然時の姿勢となっているときに、布板１０の長手方向及び幅方向について一致しているため、それぞれのロック部材２３を自然時の姿勢にして下から２番目以降の布板１０Ｂ〜１０Ｅを積み重ねることにより、図１２に示されているように、下側のロック部材２３の窪み部２３Ｆに上側のロック部材２３の突起部２３Ｄが挿入され、これにより、それぞれのロック部材２３が互いに干渉することなく、下から２番目以降の布板１０Ｂ〜１０Ｅを上下に積み重ねることができる。
【００７３】
なお、以上説明したようにフック部材１３に突起部１３Ｇと窪み部１３Ｈを設けることや、ロック部材２３に突起部２３Ｄと窪み部２３Ｆを設けること、及びフック部材１３に、図６（Ａ）（Ｂ）（Ｃ）で示した姿勢に変更可能となっているロック部材２３を配置することは、布板１０に上面第１突出部３１〜上面第４突出部３４、下面第１突出部４１及び下面第２突出部４２を設けない場合にも、実施することができる。
【産業上の利用可能性】
【００７４】
本発明は、建築作業現場、土木作業現場、解体作業現場等の各種作業現場で仮設足場を構築するために用いられる仮設足場用布板を上下に積み重ねる場合に利用することができる。
【符号の説明】
【００７５】
１  仮設足場
２  建枠
２Ａ  水平材
１０  仮設足場用布板
１３  フック部材
１３Ｇ  突起部
１３Ｈ  窪み部
２３  ロック部材
２３Ｄ  突起部
２３Ｆ  窪み部
３１  上面第１突出部
３２  上面第２突出部
３３  上面第３突出部
３４  上面第４突出部
４１  下面第１突出部
４２  下面第２突出部
５１  第１Ｌ字形状突出部
５２  第２Ｌ字形状突出部
【図１】
0005576899.tif 000002
【図２】
0005576899.tif 000003
【図３】
0005576899.tif 000004
【図４】
0005576899.tif 000005
【図５】
0005576899.tif 000006
【図６】
0005576899.tif 000007
【図７】
0005576899.tif 000008
【図８】
0005576899.tif 000009
【図９】
0005576899.tif 000010
【図１０】
0005576899.tif 000011
【図１１】
0005576899.tif 000012
【図１２】
0005576899.tif 000013